【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
少なくとも２つの部材にボルトと挿通し、そのボルトにナットを螺合させて前記部材が接合した物体を得る際に、物体とナットとの間に配置されて使用される座金において、その座金がナットを接する第１支承面と、物体と接する第２支承面と、ボルトを接する回転抵抗面を有し、しかも、内側部と外側部とで構成され、その座金内側部は、半径方向内側にボルトのネジ部と係合する雌ネジ部を持つと共に、半径方向外側に外周面を持ち、座金外側部は、半径方向内側に内周面を持ち、座金内側部と座金外側部とは、後者に関して前者は回転しないが軸方向に変位できる関係で協働し、或る力でナットを一方向に回転させた際に、その逆方向の反力を受け止め、己自身は実質的に静止したまま、ボルトを回転させずに軸方向に伸長又は弛緩させることができることを特徴とする座金。
【請求項２】
前記の座金内側部の雌ネジ部が、座金の回転抵抗面に設けられている請求項１記載の座金。
【請求項３】
前記した座金の回転抵抗面が、座金の内周面であって、その内周面に前記の雌ネジ部が設けられている請求項２記載の座金。
【請求項４】
ナットが回転している間、前記の雌ネジ部をボルトのネジ部に押圧する手段をさらに備え、その手段が座金内側部又は座金外側部の何れかに設けた傾斜面である請求項２記載の座金。
【請求項５】
座金内側部をボルト方向に押圧するための前記傾斜面に作用するピン手段を、座金内側部と座金外側部との間に設けた請求項４記載の座金。
【請求項６】
座金内側部と座金外側部とが互いに自由に回転せずに、軸方向には動けるように、前記の内側部と外側部を接続する手段をさらに有し、その手段が前記の内側部と外側部に設けられて互いに係合する複数のスプラインをである請求項１記載の座金。
【請求項７】
座金内側部と座金外側部とが互いに自由に回転せずに、軸方向には動けるように、前記の内側部と外側部を接続する手段をさらに有し、その手段が両者をプレス嵌合したものである請求項１記載の座金。
【請求項８】
座金内側部と座金外側部とが互いに自由に回転せずに、軸方向には動けるように、前記の内側部と外側部を接続する手段をさらに有し、その手段が両者間に設けたキー手段である請求項１記載の座金。
【請求項９】
座金内側部と座金外側部のどちらか一方が、他方に向いた非湾曲面を備え、その他方と連携によって、内側部と外側部とが互いに自由に回転せずに、軸方向には動けるようにした請求項１記載の座金。
【請求項１０】
座金内側部と座金外側部のどちらか一方に、他方と連携する横断面を設け、前記の内側部と外側部とが互いに自由に回転せずに、軸方向には動けるようにした請求項１記載の座金。
【請求項１１】
座金内側部をボルトのネジ部に押圧する手段であって、その手段は座金内側部をボルトのネジ部に押圧していない非作動位置と、押圧している作動位置との間を往復させることができ、作動位置への設定を外部から行うことができる手段をさらに備えている請求項１記載の座金。
【請求項１２】
座金内側部と座金外側部とが互いに自由に回転せずに、軸方向には動けるように、前記の内側部と外側部を接続する手段をさらに有し、その手段が前記の内側部と外側部の両方に係合するリングギア手段である請求項１記載の座金。
【請求項１３】
前記のリングギア手段が、座金と物体との間に配置できるプレートに設けられている請求項１２記載の座金。
【請求項１４】
座金内側部と座金外側部とが互いに自由に回転せずに、軸方向には動けるように、前記の内側部と外側部を接続する手段をさらに有し、その手段が両者間に設けた楔である請求項１記載の座金。
【請求項１５】
物体に対する摩擦が大きくなるように、前記の第２支承面が形成されている請求項１記載の座金。
【請求項１６】
物体を構成する２つの部材を合体させるのに使用され、物体を構成する２つの部材に挿通可能な雄ネジ付きボルトと、ボルトに螺着されるナットと、物体とナットの間に配される座金とで構成されるねじ部品において、前記の座金がナットを接する第１支承面と、物体と接する第２支承面と、ボルトを接する回転抵抗面を有し、しかもその座金は、内側部と外側部とで構成され、座金内側部は、半径方向内側にボルトのネジ部と係合する雌ネジ部を、半径方向外側に外周面をそれぞれ持ち、座金外側部は、半径方向内側に内周面を持ち、座金内側部と座金外側部とは、後者に関して前者は回転しないが軸方向に変位できる関係で協働し、或る力でナットを一方向に回転させた時に、その反力を受け止めて、己自身は実質的に静止したままボルトを回転させることなく軸方向に伸長又は弛緩させる座金であることを特徴とするねじ部品。
【請求項１７】
物体を構成する少なくとも２つの部材に雄ネジ付きボルトを挿通して物体の一側面にボルトの自由端を突き出させ、突き出たボルトの自由端に座金を取り付けてからナットを螺合して仮接合体を組み立て、その仮接合体にトルク工具を適用し、トルク工具の回転部をナットに、トルク工具の反力部を座金にそれぞれ係合させ、ナットを或る力で一方向に回転させながら、それと同時に逆方向の反力を座金に付与することを包含する接合方法において、前記の座金として、ナットと接する第１支承面と、物体と接する第２支承面と、ボルトを接する回転抵抗面とを有し、しかも、内側部と外側ぶで構成され、座金内側部は、半径方向内側にボルトの雄ネジと係合する雌ネジを、半径方向外側に外周面をそれぞれ持ち、座金外側部は内周面を持ち、座金内側部と座金外側部とは、後者に関して前者は回転しないが軸方向に変位できる関係で協働し、或る力でナットを一方向に回転させた時に、それと同時に逆方向の反力を受け止めて、己自身は実質的に静止したままボルトを回転させることなく軸方向に伸長又は弛緩させことができる座金を使用することを特徴とする前記接合方法。
【請求項１８】
非回転部材を備えたハウジングと、回転駆動部材を備えて前記ハウジング内に収納されている駆動装置と、ねじ部品とで構成される物体接合用動力工具において、前記のねじ部品が、物体を構成する部材に挿通可能なネジ付きボルトと、このボルトに螺着可能で、かつ前記の回転駆動部材と接続可能なナットと、前記物体構成部材とナットとの間に配される座金とで構成され、前記の座金がナットを接する第１支承面と、物体と接する第２支承面と、ボルトを接する回転抵抗面を有し、しかも内側部と外側部とで構成され、座金内側部は半径方向内側にボルトのネジ部と係合する雌ネジ部を持ち、半径方向外側に外周面を持ち、座金外側部は半径方向内側に内周面を持ち、座金内側部と座金外側部とは、後者に関して前者は回転しないが軸方向に変位できる関係で協働し、或る力でナットを一方向に回転させた時に、逆方向のその反力を受け止めて、己自身は静止したままボルトを回転させずに軸方向に伸長又は弛緩させる座金であることを特徴とする物体接合用動力工具。
【請求項１９】
前記工具が回転機構を備え、この回転機構に接続されて回転する突起物として前記の回転駆動部材が形成されていることを特徴とする請求項１８記載の動力工具。
【請求項２０】
前記回転抵抗面が、ボルトと同軸の座金の半径方向内側表面であって、その面にはボルトと係合する雌ネジが設けられていることを特徴とする請求項１８記載の動力工具。
【請求項２１】
ボルトと座金との間に大きい摩擦が生ずるように、前記座金に設けた雌ネジが、ボルトの雄ネジとは異なる角度のネジを有していることを特徴とする請求項１８記載の動力工具。
【請求項２２】
ボルトとの間に摩擦が発生するように、前記座金の回転抵抗面がネジでなく、ボルトの雄ネジよりも柔らかい面であることを特徴とする請求項１８記載の動力工具。
【請求項２３】
ナットが回転している間、座金の雌ネジ部をボルトの雄ネジ部に押圧してそこに食い込ませる手段であって、前記の内側部及び外側部の何れか一方に設けられた傾斜面を有し、ナットが回転している間、座金の内部側をボルトに向けて押し付けるように作用する手段をさらに備えていることを特徴とする請求項１８記載の動力工具。
【請求項２４】
前記傾斜面に作用して内部側をボルトに向けて押し付けるピン手段を、座金の内側部と外側部との間に、さらに備えていることを特徴とする請求項２３記載の動力工具。
【請求項２５】
座金の内側部と外側部とが自由に回転しないが、軸方向には動けるように、座金の内側部と外側部と互いに接続する手段をさらに設け、その手段が内側部と外側部とに設けた互いに係合する複数本のスプラインであることを特徴とする請求項１８記載の動力工具。
【請求項２６】
座金の内側部と外側部とが自由に回転しないが、軸方向には動けるように、座金の内側部と外側部と互いに接続する手段をさらに設け、その手段が内側部と外側部と互いに強圧する手段であることを特徴とする請求項１８記載の動力工具。
【請求項２７】
座金の内側部と外側部とが自由に回転しないが、軸方向には動けるように、座金の内側部と外側部と互いに接続する手段をさらに設け、その手段が内側部と外側部との間に設けたキー手段であることを特徴とする請求項１８の動力工具。
【請求項２８】
座金の内側部と外側部の何れか一方が、他方に面する非球面を有し、内側部と外側部とが自由に回転しないが、軸方向には動けることを特徴とする請求項１８記載の動力工具。
【請求項２９】
座金の内側部と外側部とが自由に回転しないが、軸方向には動けるように、内側部と外側部の何れか一方が、他方と協同して働く横断面を備えていることを特徴とする請求項１８記載の動力工具。
【請求項３０】
座金の内側部がボルトの雄ネジに押圧されていない非作動位置と、押圧されている作動位置との間で動くことができる押圧手段であって、前記の内側部をボルトの雄ネジに押圧する手段をさらに備えていることを特徴とする請求項１８記載の動力工具。
【請求項３１】
座金の内側部と外側部とが自由に回転しないが、軸方向には動けるように、座金の内側部と外側部と互いに接続する手段をさらに設け、その手段が内側部と外側部の両方に係合するリングギア手段であることを特徴とする請求項１８記載の動力工具。
【請求項３２】
前記のリングギア手段が座金と物体との間に位置するように配したプレート部材を備えていることを特徴とする請求項１８記載の動力工具。
【請求項３３】
座金の内側部と外側部とが自由に回転しないが、軸方向には動けるように、座金の内側部と外側部と互いに接続する手段をさらに設け、その手段が内側部と外側部との間に設けた楔手段であることを特徴とする請求項１８記載の動力工具。
【請求項３４】
前記の第２支承面が物体との間で高い摩擦が得られるように形成されていることを特徴とする請求項１８記載の動力工具。